【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】
原稿紙の画像を読み取る読取部と、複数種類の記録紙が収容される収容部と、この収容部から択一的に選択された記録紙に前記読取部にて読み取られた画像を記録する記録部と、を備えた画像記録装置において、
前記原稿紙に設けられ紙情報が記憶された情報チップから、該紙情報を受信する原稿情報受信部と、
複写が禁止される紙類に関する複写禁止情報を予め記憶した記憶部と、
前記原稿情報受信部にて受信した前記紙情報と、前記記憶部に記憶されている前記複写禁止情報とに基づいて、原稿紙が複写が禁止された紙類であると判断された場合に、前記記録部による画像記録を禁止する制御部と、
を備えたことを特徴とする画像記録装置。
【請求項２】
原稿紙の画像を読み取る読取部と、複数種類の記録紙が収容される収容部と、この収容部から択一的に選択された記録紙に前記読取部にて読み取られた画像を記録する記録部と、を備えた画像記録装置において、
前記原稿紙に設けられ紙情報が記憶された情報チップから、該紙情報を受信する原稿情報受信部と、
複写が禁止される紙類に関する複写禁止情報を予め記憶した記憶部と、
前記原稿情報受信部にて受信した前記紙情報と、前記記憶部に記憶されている前記複写禁止情報とに基づいて、原稿紙が複写が禁止された紙類であると判断された場合に、前記記録紙上に、前記原稿紙の画像と所定の画像とを重ねて記録するよう前記記録部を制御する制御部と、
を備えたことを特徴とする画像記録装置。
【請求項３】
原稿紙の画像を読み取る読取部と、複数種類の記録紙が収容される収容部と、この収容部から択一的に選択された記録紙に前記読取部にて読み取られた画像を記録する記録部と、を備えた画像記録装置において、
前記原稿紙に設けられ紙情報が記憶された情報チップから、該紙情報を受信する原稿情報受信部と、
複写が禁止される紙類に関する複写禁止情報を予め記憶した記憶部と、
前記原稿情報受信部にて受信した前記紙情報と、前記記憶部に記憶されている前記複写禁止情報とに基づいて、原稿紙が複写が禁止された紙類であると判断された場合に、前記記録部による画像記録を禁止する複写禁止モード、もしくは、前記記録紙上に、前記原稿紙の画像と所定の画像とを重ねて記録する複写記録モードにて前記記録部を制御する制御部と、
前記複写禁止モードと、前記複写記録モードとを択一的に選択操作可能なモード選択操作部と、
を備えたことを特徴とする画像記録装置。
【請求項４】
前記複写禁止情報は、紙幣と有価証券の少なくとも一方に関する情報を含むことを特徴とする請求項１から３のいずれか一項に記載の画像記録装置。
【請求項５】
前記記録部による画像記録を行うときに、少なくとも原稿紙の画像データ及び原稿紙の紙情報を追跡情報として記憶部に記憶するよう構成したことを特徴とする請求項１から４のいずれか一項に記載の画像記録装置。
【請求項６】
前記記録部による画像記録を行うときに、記憶部に記憶される追跡情報を記録紙に原稿の画像とともに出力するよう構成したことを特徴とする請求項５に記載の画像記録装置。
【請求項７】
前記原稿情報受信部を、前記読取部に設けられ原稿の読み取り時に原稿紙に沿って移動するスキャンヘッドに配したことを特徴とする請求項１から６のいずれか一項に記載の画像記録装置。
【請求項８】
前記制御部は、前記原稿情報受信部にて受信した前記紙情報に基づいて、画像記録に使用する記録紙を選択することを特徴とする請求項１から７のいずれか一項に記載の画像記録装置。
【請求項９】
前記記録紙に設けられ紙情報が記憶された情報チップから、該紙情報を受信する記録情報受信部を設け、
前記制御部は、前記原稿情報受信部にて受信した紙情報と、前記記録情報受信部にて受信した紙情報とに基づいて画像記録に使用する記録紙を選択することを特徴とする請求項１から８のいずれか一項に記載の画像記録装置。
【請求項１０】
前記記録情報受信部にて受信した紙情報を、記憶部に記憶するよう構成したことを特徴とする請求項９に記載の画像記録装置。
【請求項１１】
前記収容部における記録紙の収容状態から、記録紙に関する情報を取得する情報取得部を設け、
前記記録情報受信部で紙情報を未受信の場合に、前記記憶部に前記情報取得部で取得した記録紙に関する情報を記憶するよう構成したことを特徴とする請求項１０に記載の画像記録装置。
【請求項１２】
前記情報取得部で取得した情報と、前記記録情報受信部で取得した情報のうち、優先的にいずれの情報に基づき画像記録に使用する記録紙を選択するかを操作可能な情報選択操作部を設けたことを特徴とする請求項１１に記載の画像記録装置。
【請求項１３】
前記記録情報受信部で紙情報を未受信の場合に、記録紙の情報が未受信であることを表示部に表示することを特徴とする請求項１０から１２のいずれか一項に記載の画像記録装置。
【請求項１４】
前記収容部における記録紙が収容される複数のトレーの間に、電波を遮蔽する遮蔽部材を設置したことを特徴とする請求項９から１３のいずれか一項に記載の画像記録装置。
【手続補正２】
【補正対象書類名】明細書
【補正対象項目名】０００７
【補正方法】変更
【補正の内容】
【０００７】
【課題を解決するための手段】
前記目的を達成するため、請求項１に記載の発明では、
原稿紙の画像を読み取る読取部と、複数種類の記録紙が収容される収容部と、この収容部から択一的に選択された記録紙に前記読取部にて読み取られた画像を記録する記録部と、を備えた画像記録装置において、
前記原稿紙に設けられ紙情報が記憶された情報チップから、該紙情報を受信する原稿情報受信部と、
複写が禁止される紙類に関する複写禁止情報を予め記憶した記憶部と、
前記原稿情報受信部にて受信した前記紙情報と、前記記憶部に記憶されている前記複写禁止情報とに基づいて、原稿紙が複写が禁止された紙類であると判断された場合に、前記記録部による画像記録を禁止する制御部と、
を備えたことを特徴とする。
【手続補正３】
【補正対象書類名】明細書
【補正対象項目名】０００８
【補正方法】変更
【補正の内容】
【０００８】
請求項１に記載の発明によれば、読取部にて原稿の画像を読み取る際に原稿情報受信部にて原稿紙の紙情報が受信され、読取部の原稿紙の種類が、記憶部に記憶されている複写禁止情報の種類に該当する場合は、画像記録が禁止される。これにより、法律等により複製が規制されている紙類や、営業秘密に関する紙類の複写が行われることはない。
【手続補正４】
【補正対象書類名】明細書
【補正対象項目名】０００９
【補正方法】変更
【補正の内容】
【０００９】
請求項２に記載の発明では、
原稿紙の画像を読み取る読取部と、複数種類の記録紙が収容される収容部と、この収容部から択一的に選択された記録紙に前記読取部にて読み取られた画像を記録する記録部と、を備えた画像記録装置において、
前記原稿紙に設けられ紙情報が記憶された情報チップから、該紙情報を受信する原稿情報受信部と、
複写が禁止される紙類に関する複写禁止情報を予め記憶した記憶部と、
前記原稿情報受信部にて受信した前記紙情報と、前記記憶部に記憶されている前記複写禁止情報とに基づいて、原稿紙が複写が禁止された紙類であると判断された場合に、前記記録紙上に、前記原稿紙の画像と所定の画像とを重ねて記録するよう前記記録部を制御する制御部と、
を備えたことを特徴とする。
【手続補正５】
【補正対象書類名】明細書
【補正対象項目名】００１０
【補正方法】変更
【補正の内容】
【００１０】
請求項２に記載の発明によれば、読取部にて原稿の画像を読み取る際に原稿情報受信部にて原稿紙の紙情報が受信され、読取部の原稿紙の種類が、記憶部に記憶されている複写禁止情報の種類に該当する場合は、原稿の画像に所定の画像が重ねて記録される。これにより、法律等により複製が規制されている紙類や、営業秘密に関する紙類が、そっくりそのまま複写されることはない。
【手続補正６】
【補正対象書類名】明細書
【補正対象項目名】００１１
【補正方法】変更
【補正の内容】
【００１１】
請求項３に記載の発明では、
原稿紙の画像を読み取る読取部と、複数種類の記録紙が収容される収容部と、この収容部から択一的に選択された記録紙に前記読取部にて読み取られた画像を記録する記録部と、を備えた画像記録装置において、
前記原稿紙に設けられ紙情報が記憶された情報チップから、該紙情報を受信する原稿情報受信部と、
複写が禁止される紙類に関する複写禁止情報を予め記憶した記憶部と、
前記原稿情報受信部にて受信した前記紙情報と、前記記憶部に記憶されている前記複写禁止情報とに基づいて、原稿紙が複写が禁止された紙類であると判断された場合に、前記記録部による画像記録を禁止する複写禁止モード、もしくは、前記記録紙上に、前記原稿紙の画像と所定の画像とを重ねて記録する複写記録モードにて前記記録部を制御する制御部と、
前記複写禁止モードと、前記複写記録モードとを択一的に選択操作可能なモード選択操作部と、
を備えたことを特徴とする。
【手続補正７】
【補正対象書類名】明細書
【補正対象項目名】００１２
【補正方法】変更
【補正の内容】
【００１２】
請求項３に記載の発明によれば、読取部にて原稿の画像を読み取る際に原稿情報受信部にて原稿紙の紙情報が受信され、ユーザは、操作部により複写禁止モードと複写記録モードとを択一的に選択操作をすることができる。複写禁止モードのときに、読取部の原稿紙の種類が、記憶部に記憶されている複写禁止情報の種類に該当する場合は、画像記録が禁止される。また、複写記録モードのときに、読取部の原稿紙の種類が、記憶部に記憶されている複写禁止情報の種類に該当する場合は、原稿の画像に所定の画像が重ねて記録される。これにより、法律等により複製が規制されている紙類や、営業秘密に関する紙類の複写行為を禁止したり、これらの紙類がそっくりそのまま複写されることを阻止することができる。
【手続補正８】
【補正対象書類名】明細書
【補正対象項目名】００１３
【補正方法】変更
【補正の内容】
【００１３】
請求項４に記載の発明では、請求項１から３のいずれか一項に記載の画像記録装置において、
前記複写禁止情報は、紙幣と有価証券の少なくとも一方に関する情報を含むことを特徴とする。
【手続補正９】
【補正対象書類名】明細書
【補正対象項目名】００１４
【補正方法】変更
【補正の内容】
【００１４】
請求項４に記載の発明によれば、請求項１から３のいずれか一項の作用に加え、紙幣と有価証券の少なくとも一方の複写を制限して、これらの複製による偽造を阻止することができる。
【手続補正１０】
【補正対象書類名】明細書
【補正対象項目名】００１５
【補正方法】変更
【補正の内容】
【００１５】
請求項５に記載の発明では、請求項１から４のいずれか一項に記載の画像記録装置において、
前記記録部による画像記録を行うときに、少なくとも原稿紙の画像データ及び原稿紙の紙情報を追跡情報として記憶部に記憶するよう構成したことを特徴とする。
【手続補正１１】
【補正対象書類名】明細書
【補正対象項目名】００１６
【補正方法】変更
【補正の内容】
【００１６】
請求項５に記載の発明によれば、請求項１から４のいずれか一項の作用に加え、原稿の画像が記録紙に記録されるときに、記憶部に追跡情報が記憶されることとなる。これにより、ユーザは、記憶部に蓄積された追跡情報から、所望の画像データ及び紙情報を検索することができる。
【手続補正１２】
【補正対象書類名】明細書
【補正対象項目名】００１７
【補正方法】変更
【補正の内容】
【００１７】
請求項６に記載の発明では、請求項５に記載の画像記録装置において、
前記記録部による画像記録を行うときに、記憶部に記憶される追跡情報を記録紙に原稿の画像とともに出力するよう構成したことを特徴とする。
【手続補正１３】
【補正対象書類名】明細書
【補正対象項目名】００１８
【補正方法】変更
【補正の内容】
【００１８】
請求項６に記載の発明によれば、請求項５の作用に加え、記憶部に記憶される追跡情報が記録紙に出力されるので、ユーザは記憶部に蓄積されていく追跡情報を認識することができる。
【手続補正１４】
【補正対象書類名】明細書
【補正対象項目名】００１９
【補正方法】変更
【補正の内容】
【００１９】
請求項７に記載の発明では、請求項１から６のいずれか一項に記載の画像記録装置において、
前記原稿情報受信部を、前記読取部に設けられ原稿の読み取り時に原稿紙に沿って移動するスキャンヘッドに配したことを特徴とする。
【手続補正１５】
【補正対象書類名】明細書
【補正対象項目名】００２０
【補正方法】変更
【補正の内容】
【００２０】
請求項７に記載の発明によれば、請求項１から６のいずれか一項の作用に加え、原稿紙全体の画像をスキャンするべく原稿紙に沿って移動するスキャンヘッドに原稿情報受信部が配されているので、情報チップが原稿紙のどの部分に配されていても、確実に紙情報を受信することができる。
【手続補正１６】
【補正対象書類名】明細書
【補正対象項目名】００２１
【補正方法】変更
【補正の内容】
【００２１】
請求項８に記載の発明では、請求項１から７のいずれか一項に記載の画像記録装置において、
前記制御部は、前記原稿情報受信部にて受信した前記紙情報に基づいて、画像記録に使用する記録紙を選択することを特徴とする。
【手続補正１７】
【補正対象書類名】明細書
【補正対象項目名】００２２
【補正方法】変更
【補正の内容】
【００２２】
請求項８に記載の発明によれば、請求項１から７のいずれか一項の作用に加え、制御部により画像記録に使用する記録紙が自動的に選択される。これにより、正確な情報に基づいて、原稿の画像に対応した適切な記録紙が選択されることとなり、画像記録を的確に行うことができる。
【手続補正１８】
【補正対象書類名】明細書
【補正対象項目名】００２５
【補正方法】変更
【補正の内容】
【００２５】
請求項１０に記載の発明では、請求項９に記載の画像記録装置において、
前記記録情報受信部にて受信した紙情報を、記憶部に記憶するよう構成したことを特徴とする。
【手続補正１９】
【補正対象書類名】明細書
【補正対象項目名】００２６
【補正方法】変更
【補正の内容】
【００２６】
請求項１０に記載の発明によれば、請求項９の作用に加え、記憶部に記憶された紙情報を利用して、記録紙の選択を行うことができ、リアルタイムで記録紙の紙情報を認識する必要はない。また、情報チップとの通信の特性上、情報チップからの紙情報の読み出しが常時行えない制約がある場合も、記憶内容を基に適切な記録紙を選択することができる。
【手続補正２０】
【補正対象書類名】明細書
【補正対象項目名】００２７
【補正方法】変更
【補正の内容】
【００２７】
請求項１１に記載の発明では、請求項１０に記載の画像記録装置において、
前記収容部における記録紙の収容状態から、記録紙に関する情報を取得する情報取得部を設け、
前記記録情報受信部で紙情報を未受信の場合に、前記記憶部に前記情報取得部で取得した記録紙に関する情報を記憶するよう構成したことを特徴とする。
【手続補正２１】
【補正対象書類名】明細書
【補正対象項目名】００２８
【補正方法】変更
【補正の内容】
【００２８】
請求項１１に記載の発明によれば、請求項１０の作用に加え、記録紙の紙情報が未受信である場合には、記録紙の収容状態から取得された情報が、記録紙の情報として記憶部に記憶される。これにより、収容部に記録紙が収容されているにも関わらず、通信状態等に起因して紙情報が受信されない場合であっても、収容状態から記録紙の情報が記憶されるので、記録紙の選択を行うことができる。
【手続補正２２】
【補正対象書類名】明細書
【補正対象項目名】００２９
【補正方法】変更
【補正の内容】
【００２９】
請求項１２に記載の発明では、請求項１１に記載の画像記録装置において、
前記情報取得部で取得した情報と、前記記録情報受信部で取得した情報のうち、優先的にいずれの情報に基づき画像記録に使用する記録紙を選択するかを操作可能な情報選択操作部を設けたことを特徴とする。
【手続補正２３】
【補正対象書類名】明細書
【補正対象項目名】００３０
【補正方法】変更
【補正の内容】
【００３０】
請求項１２に記載の発明によれば、請求項１１の作用に加え、記録紙の選択を行う際に、記録紙の収容状態から取得された記録紙の情報と、記録情報受信部で受信した記録紙の情報の、いずれの情報を優先するかを、ユーザが操作部により選択操作をすることができる。従って、例えば、元々情報チップが埋め込まれたＡ３サイズの記録紙を、人為的に半分に切断してＡ４サイズの記録紙して利用した場合、収容状態から取得した記録紙情報を、記録紙情報受信部からの情報チップの情報より優先する設定にすることで、サイズ誤りのない正確な記録紙選択を行わせることができる。
【手続補正２４】
【補正対象書類名】明細書
【補正対象項目名】００３１
【補正方法】変更
【補正の内容】
【００３１】
請求項１３に記載の発明では、請求項１０から１２のいずれか一項に記載の画像記録装置において、
前記記録情報受信部で紙情報を未受信の場合に、記録紙の情報が未受信であることを表示部に表示することを特徴とする。
【手続補正２５】
【補正対象書類名】明細書
【補正対象項目名】００３２
【補正方法】変更
【補正の内容】
【００３２】
請求項１３の発明によれば、請求項１０から１２のいずれか一項の作用に加え、ユーザは、表示部により記録紙の紙情報が未受信であることを認識することができる。これにより、ユーザは、記録紙の紙情報を装置の操作部等から直接入力したり、記録情報受信部に記録紙の紙情報を再度受信させたり、紙情報を取得させるための処置をとることができる。
【手続補正２６】
【補正対象書類名】明細書
【補正対象項目名】００３３
【補正方法】変更
【補正の内容】
【００３３】
請求項１４に記載の発明では、請求項９から１３のいずれか一項に記載の画像記録装置において、
前記収容部における記録紙が収容される複数のトレーの間に、電波を遮蔽する遮蔽部材を設置したことを特徴とする。
【手続補正２７】
【補正対象書類名】明細書
【補正対象項目名】００３４
【補正方法】変更
【補正の内容】
【００３４】
請求項１４に記載の発明によれば、請求項９から１３のいずれか一項の作用に加え、各トレーが遮蔽部材により仕切られるので、各トレーに異なる種類の記録紙が収容される場合でも、異なる種類の記録紙の情報チップの電波が混線した状態で、記録情報受信部に受信されることはない。すなわち、例えば、収容部が、上下に並んだ複数段のトレーにより構成されている場合には、各トレーの間に遮蔽部材を設置することにより、各トレー毎に記録紙の紙情報を的確に受信することができる。
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００７３
【補正方法】変更
【補正の内容】
【００７３】
【発明の効果】
以上詳述したように、請求項１に記載の発明によれば、法律等により複製が規制されている紙類や、営業秘密に関する紙類の複写行為を禁止して、無断複製、違法偽造、秘密漏洩等を未然に防止することができる。
【手続補正３１】
【補正対象書類名】明細書
【補正対象項目名】００７４
【補正方法】変更
【補正の内容】
【００７４】
請求項２に記載の発明によれば、法律等により複製が規制されている紙類や、営業秘密に関する紙類がそっくりそのまま複写されることを阻止して、無断複製、違法偽造、秘密漏洩等を未然に防止することができる。
【手続補正３２】
【補正対象書類名】明細書
【補正対象項目名】００７５
【補正方法】変更
【補正の内容】
【００７５】
請求項３に記載の発明によれば、法律等により複製が規制されている紙類や、営業秘密に関する紙類の複写行為を禁止したり、これらの紙類がそっくりそのまま複写されることを阻止することができる。従って、無断複製、違法偽造、秘密漏洩等を未然に防止することができ、実用に際して極めて有利である。
【手続補正３３】
【補正対象書類名】明細書
【補正対象項目名】００７６
【補正方法】変更
【補正の内容】
【００７６】
請求項４に記載の発明によれば、請求項１から３のいずれか一項の効果に加え、紙幣や有価証券の複写を制限して、これらの複製による偽造を阻止することができる。
【手続補正３４】
【補正対象書類名】明細書
【補正対象項目名】００７７
【補正方法】変更
【補正の内容】
【００７７】
請求項５に記載の発明によれば、請求項１から４のいずれか一項の効果に加え、原稿の画像が記録紙に記録されるときに、記憶部に追跡情報が記憶されることとなる。これにより、ユーザは、記憶部に蓄積された追跡情報から、所望の画像データ及び紙情報を検索することができる。
【手続補正３５】
【補正対象書類名】明細書
【補正対象項目名】００７８
【補正方法】変更
【補正の内容】
【００７８】
請求項６に記載の発明によれば、請求項５のいずれか一項の効果に加え、記憶部に記憶される追跡情報が記録紙に出力されるので、ユーザは記憶部に蓄積されていく追跡情報を認識することができる。
【手続補正３６】
【補正対象書類名】明細書
【補正対象項目名】００７９
【補正方法】変更
【補正の内容】
【００７９】
請求項７に記載の発明によれば、請求項１から６のいずれか一項の効果に加え、原稿紙全体の画像をスキャンするべく原稿紙に沿って移動するスキャンヘッドに原稿情報受信部が配されているので、情報チップが原稿紙のどの部分に配されていても、確実に紙情報を受信することができる。
【手続補正３７】
【補正対象書類名】明細書
【補正対象項目名】００８０
【補正方法】変更
【補正の内容】
【００８０】
請求項８に記載の発明によれば、請求項１から７のいずれか一項の効果に加え、正確な情報に基づいて、原稿の画像に対応した適切な記録紙が選択されることとなり、画像記録を的確に行うことができる。従って、操作部等により原稿の画像を記録するのに不適な記録紙に設定されている場合であっても、記録可能な他の種類の記録紙に画像を記録することができる。
【手続補正３８】
【補正対象書類名】明細書
【補正対象項目名】００８２
【補正方法】変更
【補正の内容】
【００８２】
請求項１０に記載の発明によれば、請求項９の効果に加え、記憶部に記憶された紙情報を利用して、記録紙の選択を行うことができ、リアルタイムで記録紙の紙情報を認識する必要はない。また、情報チップとの通信の特性上、情報チップからの紙情報の読み出しが常時行えない制約がある場合も、記憶内容を基に適切な記録紙を選択することができる。さらに、一度、紙情報が認識できればよいため、記録情報受信部の構成等を簡単にすることができる。
【手続補正３９】
【補正対象書類名】明細書
【補正対象項目名】００８３
【補正方法】変更
【補正の内容】
【００８３】
請求項１１に記載の発明によれば、請求項１０の効果に加え、収容部に記録紙が収容されているにも関わらず、通信状態等に起因して紙情報が受信されない場合であっても、収容状態から記録紙の情報が記憶されるので、記録紙の選択を行うことができる。
【手続補正４０】
【補正対象書類名】明細書
【補正対象項目名】００８４
【補正方法】変更
【補正の内容】
【００８４】
請求項１２に記載の発明によれば、請求項１１の効果に加え、記録紙の選択を行う際に、記録紙の収容状態から取得された記録紙の情報と、記録情報受信部で受信した記録紙の情報の、いずれの情報を優先するかを、ユーザが指定できる。従って、例えば、元々情報チップが埋め込まれた記録紙を切断するなどして、別のサイズの記録紙として利用した場合も、収容状態から取得した記録紙情報を、記録情報受信部からの情報チップの情報より優先する設定にすることにより、サイズ誤りのない正確な記録紙選択を行わせることができる。
【手続補正４１】
【補正対象書類名】明細書
【補正対象項目名】００８５
【補正方法】変更
【補正の内容】
【００８５】
請求項１３に記載の発明によれば、請求項１０から１２のいずれか一項の効果に加え、記録紙の紙情報が未受信である場合に、ユーザは、記録紙の紙情報を装置の操作部等から直接入力したり、記録情報受信部に記録紙の紙情報を再度受信させたりして、紙情報を取得させるための処置をとることができる。
【手続補正４２】
【補正対象書類名】明細書
【補正対象項目名】００８６
【補正方法】変更
【補正の内容】
【００８６】
請求項１４に記載の発明によれば、請求項９から１３のいずれか一項の効果に加え、異なる種類の記録紙同士が遮蔽部材により仕切られるので、異なる種類の記録紙の情報チップの電波が混線した状態で、記録情報受信部に受信されることはない。従って、他の種類の記録紙の紙情報を誤って受信して制御に支障をきたすことはなく、装置の信頼性を向上することができる。
【手続補正４３】
【補正対象書類名】明細書
【補正対象項目名】００８７
【補正方法】削除
【補正の内容】